(57)【要約】      （修正有）【課題】すっきりした外観を呈すると共に、屋外に設置しても風雨等の環境に耐えられるように格別な配慮がなされている光源により電飾効果を有する看板を提供する。【解決手段】表示板２の表示パターンを構成した表示面２Ａが前面と成って面一で形成され、この表示板２の背面の外周端より内側に蓋体を被設する。この蓋体内に配置した導光板４と導光板４の端面に配置したＬＥＤ等の光源５により導光板４を面発光させ表示板２を照射するものとする。表示板２と導光板４との間、及び導光板４と蓋体の被覆板３１との間に、それぞれ隙間空間６、７を形成して設置すると共に、この二つの隙間空間６、７をつなげる通路８を形成した。【選択図】図５
0003177412.tif 000002
【実用新案登録請求の範囲】
【請求項１】
表示板の表示パターンを構成した表示面が前面と成って面一で形成され、この表示板の背面の外周端より内側に蓋体を被設し、この蓋体内に配置した導光板と導光板の端面に配置したＬＥＤ等の光源により導光板を面発光させ表示板を照射するものとし、表示板と導光板との間、及び導光板と蓋体の被覆板との間に、それぞれ隙間空間を形成して設置すると共に、この二つの隙間空間をつなげる通路を形成したことを特徴とする看板。
【請求項２】
表示板の背面に、導光板と光源を挟持する保持枠を、スペーサ片を介して取り付け、保持枠は表示板の周囲端から内側に位置し、スペーサ片は保持枠に部分的に設けてあり、更に保持枠の周囲及び背面側に空間を設けて蓋体を被設したことを特徴とする請求項１記載の看板。
【請求項３】
導光板は前面側をスペーサ片で、周囲を保持枠で、背面を保持枠に取り付けたＬ形押え具で挟持されると共に、蓋体ともＬ形押え具で連結したことを特徴とする請求項１又は２記載の看板。
【請求項４】
上部から、放熱空間、下面に開口部を有する光源設置空間及び導光板挟持片より成る放熱枠を、上端部に取り付けた導光板としたことを特徴とする請求項１乃至３のいずれかに記載した看板。
【請求項５】
蓋体の被覆板に通気孔を設けたことを特徴とする請求項１乃至４のいずれかに記載の看板。
【請求項６】
蓋体の下面板に水抜き孔を設けたことを特徴とする請求項１乃至５のいずれかに記載の看板。
【考案の詳細な説明】
【技術分野】
【０００１】
本考案は看板に関するものであり、詳しくは、電飾看板に関するものである。
【背景技術】
【０００２】
看板の正面に配設された表示面に筐体がはめ込まれ、筐体の内側に設置された光透過板には表示パターンが形成することで構成されると共に、筐体内には導光板が配置され、導光板の少なくとも一端部にはＬＥＤ等の光源が配設され、光源から光が導光板を介して表示面に導かれ、表示面が面発光する電飾看板が考案されている。
【０００３】
例えば、特開２０１２−４８１７１号公報では、広告等の表示される表示シートが表面側に配設される導光板と、上記導光板の端辺を支持するフレームと、このフレームの内部に配設され、導光板の端面に向けて光を照射する光源とを備え、導光板が透明なウレタン系エラストマーから構成され、導光板の裏面側に略平行に配設された略方形の反射シートを備え、反射シートが平面方向且つ保持される端辺と直交方向にスライド可能に保持される電飾看板装置が開示されている。
【０００４】
また、特開２０１１−２０９６２３号公報では、  前面に表示板が配設された筐体状のフレームケースと、前記フレームケース内に配設された矩形板状の導光板と、前記導光板の一方側から光を入射するＬＥＤ光源とを備え、前記導光板には前記ＬＥＤ光源から入射された光を反射又は拡散するシート部材が貼着された内照式広告用看板であって、前記導光板には、前記フレームケース内で前記導光板を吊り下げるための取り付け孔や指を挿通するための指挿通孔が形成され、前記取り付け孔又は前記指挿通孔には前記ＬＥＤ光源から入射される光の入射側面の一部に、光漏れ防止用反射手段が配設されている内照式広告用看板開示されている。  
【先行技術文献】
【特許文献】
【０００５】
【特許文献１】特開２０１２−０４８１７１号公報
【特許文献２】特開２０１１−２０９６２３号公報
【考案の概要】
【考案が解決しようとする課題】
【０００６】
上記のように、従来のこの種の電飾看板は、導光板や光源を収容する箱体のフレームが前面に位置する表示板の前面より前方へ突出すると共に、前面周囲（又は対向辺）に当圧して係止する構成と成り、いわゆる額縁を形成する外観を呈するものと成っているのである。
また、屋外に設置しても風雨等の環境に耐えられるような配慮が格別にされていないものも見られる。
【０００７】
そこで、本考案は、すっきりした外観を呈すると共に、屋外に設置しても風雨等の環境に耐えられるように格別な配慮がなされている光源により電飾効果を有する看板を提供することを目的とする。
【課題を解決するための手段】
【０００８】
本考案に係る請求項１の看板は、表示板の表示パターンを構成した表示面が前面と成って面一で形成され、この表示板の背面の外周端より内側に蓋体を被設し、この蓋体内に配置した導光板と導光板の端面に配置したＬＥＤ等の光源により導光板を面発光させ表示板を照射するものとし、表示板と導光板との間、及び導光板と蓋体の被覆板との間に、それぞれ隙間空間を形成して設置すると共に、この二つの隙間空間をつなげる通路を形成したことを特徴とするものである。
【０００９】
請求項２の看板の考案は、請求項１の考案において、表示板の背面に、導光板と光源を挟持する保持枠を、スペーサ片を介して取り付け、保持枠は表示板の周囲端から内側に位置し、スペーサ片は保持枠に部分的に設けてあり、更に保持枠の周囲及び背面側に空間を設けて蓋体を被設したことを特徴とするものである。
【００１０】
請求項３の看板の考案は、請求項１又は２の考案において、導光板は前面側をスペーサ片で、周囲を保持枠で、背面を保持枠に取り付けたＬ形押え具で挟持されると共に、蓋体ともＬ形押え具で連結したことを特徴とするものである。
【００１１】
請求項４の看板の考案は、請求項１乃至３のいずれかの考案において、上部から、放熱空間、下面に開口部を有する光源設置空間及び導光板挟持片より成る放熱枠を、上端部に取り付けた導光板としたことを特徴とするものである。
【００１２】
請求項５の看板の考案は、請求項１乃至４のいずれかの考案において、蓋体の被覆板に通気孔を設けたことを特徴とするものである。
【００１３】
請求項６の看板の考案は、請求項１乃至５のいずれかの考案において、蓋体の下面板に水抜き孔を設けたことを特徴とするものである。
【考案の効果】
【００１４】
本考案の請求項１に係る看板は、表示板の表示パターンを構成した表示面が前面と成って面一で形成され、この表示板の背面の外周端より内側に蓋体を被設したため、表示面である表示板の面一である前面のみで形成され、すっきりとした外観の中で電飾された表示パターンのみが看取され、サインを際立たせる効果を有するものである。
【００１５】
また、蓋体内に配置した導光板と導光板の端面に配置したＬＥＤ等の光源により導光板を面発光させ表示板を照射するものとし、表示板と導光板との間、及び導光板と蓋体の被覆板との間に、それぞれ隙間空間を形成して設置すると共に、この二つの隙間空間をつなげる通路を形成したため、光源による発熱を蓋体内の隙間空間に拡散して冷却し、特定部位や空間に留まることを防止する効果を発揮する。
【００１６】
さらに、表示板と導光板との間に隙間空間を形成して設置することで、浸入した水分が表示板と導光板との微間隙に留まってせり上がる現象を防止し、表示を鮮明に保つことや光源等への悪影響を防止し、屋外用の看板としても支障が生じることの無い効果も発揮する。
【００１７】
請求項２の看板の考案は、請求項１の考案の効果に加えて、表示板の背面に、導光板と光源を挟持する保持枠を、スペーサ片を介して取り付け、保持枠は表示板の周囲端から内側に位置して設けてあり、更に保持枠の背面側に空間を設けて蓋体を被設することにより、蓋体内で導光板の前後面に空間を設置することが可能と成り、又、スペーサ片は保持枠に部分的に設けると共に、保持枠の周囲に空間を設けて蓋体を被設することにより、通路の形成も可能となる効果を有するものである。
【００１８】
請求項３の看板の考案は、請求項１又は２の考案の効果に加えて、導光板は前面側をスペーサ片で、周囲を保持枠で、背面を保持枠に取り付けたＬ形押え具で挟持されること、及び蓋体もＬ形押え具で連結したことで、導光板を確実に位置決めすることができ、同時に蓋体もＬ形具を利用して連結したことで、蓋体の当着も簡単な構成部材で容易に行なえる効果を有するものである。
【００１９】
請求項４の看板の考案は、請求項１乃至３のいずれかの考案の効果に加えて、上部から、放熱空間、下面に開口部を有する光源設置空間及び導光板挟持片より成る放熱枠を、導光板の上端部に取り付けたことにより、光源と導光板の設置と関係を良好にすること、浸入した水から光源の被害を防止すること、放熱作用も行なうこと等の効果を発揮するものである。
【００２０】
請求項５の看板の考案は、請求項１乃至４のいずれかの考案の効果に加えて、放熱作用の向上を図ること、また、請求項６の看板の考案は、請求項１乃至５のいずれかの考案の効果に加えて、浸入した水の排水効果を有するものである。
【図面の簡単な説明】
【００２１】
【図１】本考案の一実施形態を示す斜視図である。
【図２】本考案の一実施形態を示す背面図である。
【図３】本考案の一実施形態を示す中央横断平面図である。
【図４】本考案の一実施形態を示す中央縦断平面図である。
【図５】図２の指示線の端面図である。
【図６】本考案の一実施形態を示すスペーサ片及び保持枠を配置した状態の背面図である。
【考案を実施するための形態】
【００２２】
本考案の一実施の形態を図面に基づいて説明する。
図１は本考案の一実施の形態を示す斜視図であり、看板１の表面は表示板２のみで構成され、従来のような額縁状の枠は周囲四辺の何れにも存在せず、看板１の表面となる全面が面一と成ってすっきりとした形態となっている。
表示板２の材質としては光透過性のアクリル板等の樹脂板が望ましい。
【００２３】
また、表示板２の表面２Ａの周囲の輪郭線近傍を除く、内側に入った矩形の線内が表示面として広告表示の対象域であるサイン部２１となる。
サイン模様等の現出はインクジェット等で印刷したシート（図示せず。）を表示板２の表面２Ａの該当部に貼着して後述の電源５及び導光板４からの光によって輝くものと成る。
【００２４】
図２は本考案の一実施の形態を示す背面図であり、被覆板３１、側面板３４及び上下面板３５、３６で構成する蓋体３が、表示板２の背面２Ｂの外周端の輪郭から内側に入った位置に当着され、被覆板３１の中央部には通気孔３２を穿設してあり、ガラリ部材３３が取り付けてある。
したがって、正面（表面）からは、蓋体３は看取できず、表示板２の前面２Ａみが現れているものである。
蓋体３の素材には限定はないけれど、屋外用であれば環境に耐える素材が好ましく、例えばステンレスが選択できる。
【００２５】
図３及び図４は縦横の断面図、図５は図２の指示線の端面図であり、表示板２の背面２Ｂの外周端より内側に被設した蓋体３内には、導光板４と導光板４の端面（図面では上部のみ。）にはＬＥＤ等の光源５が配置してある。
表示板２と導光板４との間、及び導光板４と蓋体３の被覆板３１との間に、それぞれ隙間空間６、７を形成して設置されると共に、この二つの隙間空間６、７を繋げる通路８が形成されている。
【００２６】
即ち、導光板４と光源５を挟持する保持枠１０の配置に対応して、スペーサ片９を表示板２の背面２Ｂに貼着すると共に、介在させて保持枠１０を貼着して取り付け、スペーサ片９の厚みで表示板２とに隙間空間６を形成する。
本実施例ではスペーサ片９及び保持枠１０にアクリル板を利用しているけれど、材質に限定があるものではない。
尚、導光板４が保持枠１０に支持されることにより、サイン部２１が表示板１の前面２Ａに比して狭小となるのである。
【００２７】
スペーサ片９は保持枠１０との関係では、部分的に設けてあるからスペーサ片９が存在しない部分は隙間８Ａと成る。
一方、保持枠１０は表示板２の周囲端から内側に位置し、保持枠１０の周囲に隙間８Ｂを設けて蓋体３を被設しているため、この隙間８Ｂと前記隙間８Ａとが連なって、二つの隙間空間６、７を繋げる通路８を形成するものとなる。
また、実施の形態の図面では、スペーサ片９が保持枠１０の上部枠全長に亘って設けられ、表示板２とに間隙８Ａを形成していないため、浸入した水が間隙空間６に流下して入り込むのを防いでいる。
【００２８】
したがって、光源５及び導光板４による発熱を隙間空間６に留まることなく、通路８を通して隙間空間７へも拡散して冷却し、特定部位や空間に留まることを防止する作用を奏するものであり、更に、隙間空間７から蓋体３の被覆板３１に設けた通気孔３２から蓋体３外へ放熱する作用を奏するものである。
【００２９】
導光板４は、前面より拡散材４１、導光材４２、反射フィルム４３及び基板４４を積層して構成し、光源（図面では上面）からアクリル製の導光材４２内に導かれた光を拡散させ、表面に均一の光を出す公知のものである。
そして、導光板４は、前面側をスペーサ片９で、周囲端面を保持枠１０で、背面を保持枠１０へ部分的に配置してネジ止め１９したＬ形押え具１１で、挟持して配設されている。
【００３０】
更に、Ｌ形押え具１１は、蓋体３の側面板３４及び上下面板３５、３６と、その重合部でネジ止め１９し、表示板２の背面２Ｂへ被着するものと成っている。
また、蓋体３の下面板３６には水抜き孔３７が適宜設けてあり、蓋体３内へ浸入して流下した水を外部へ排出できるようにしてある。
【００３１】
図中１４は放熱枠であり、上部から放熱空間１５、下面に開口部１６を有する光源設置空間１７及び導光板挟持片１８よりは成り、例えば、アルミ成型で容易に得られる。
光源設置空間１７に光源５であるＬＥＤ電球を装置し、導光板挟持片１８で導光板２の上端部に取り付けたものである。
尚、図中１２はクッション材、１３はコーキング加工である。
【００３２】
以上のように、本考案を図面に基づいて説明した。
しかし、図面に記載した実施の形態における具体的構成は本考案の一例であり、同様の作用効果を得られる他の構成又は手段を排除するものではない。
【符号の説明】
【００３３】
１      看板
２      表示板
３      蓋体
４      導光板
５      光源
６、７  隙間空間
８      通路
９      スペーサ片
１０    保持枠
１１    Ｌ形押え具
１２    クッション材
１３    コーキング加工
２１    サイン部
３２    通気孔
３７    水抜き孔
【図１】
0003177412.tif 000003
【図２】
0003177412.tif 000004
【図３】
0003177412.tif 000005
【図４】
0003177412.tif 000006
【図５】
0003177412.tif 000007
【図６】
0003177412.tif 000008